(57)【要約】  【課題】  鈎爪部の範囲内で枯葉やゴミ類の突き刺さりや絡み付きを確実に食い止めるようにして、親骨側への迫り上がりや絡み付きを確実に阻止し、作業効率を高めるようにする新規な構造の熊手を提供する。  【解決手段】  柄５の要金具部６に支持され、先端側に鈎爪部２が形成されてなる親骨の複数本１，１，……を放射状配置とした上、各隣接鈎爪部２，２，‥‥‥相互間を線条３が、揺動自由度を確保できるよう緩やかに連繋してしまい、隙間を実質的に閉鎖状としてなる熊手である。【選択図】    図１
2005143322.tif 000002
【特許請求の範囲】
【請求項１】
柄の先端に設けた要金具部に基端側が支持され、先端側に鈎爪部が形成されてなる親骨の複数本を、要金具部から放射状配置であって夫々の鈎爪部が仮想放射状面に対して交叉状且つ何れか同一側に向くように配した上、各鈎爪部の適所には、個々の鈎爪部の上下、左右への揺動自由度をある程度確保できるようにすると共に、隣接鈎爪部相互間の隙間を実質的に閉鎖状とする如した線条または鍔材が取り付けられてなるものとしたことを特徴とする熊手。
【請求項２】
柄の先端に設けた要金具部に基端側が支持され、先端側に鈎爪部が形成されてなる親骨の複数本を、要金具部から放射状配置であって夫々の鈎爪部が仮想放射状面に対して交叉状且つ何れか同一側に向くように配した上、各鈎爪部の適所には、個々の鈎爪部の上下、左右への揺動自由度をある程度確保できるようにして、線条が隣接鈎爪部相互間を緩やかに連繋し、隣接鈎爪部相互間の隙間を実質的に閉鎖状とする如してなるものとしたことを特徴とする熊手。
【請求項３】
柄の先端に設けた要金具部に基端側が支持され、先端側に鈎爪部が形成されてなる親骨の複数本を、要金具部から放射状配置であって夫々の鈎爪部が仮想放射状面に対して交叉状且つ何れか同一側に向くように配した上、各鈎爪部の適所には、個々の鈎爪部の上下、左右への揺動自由度をある程度確保できるようにして、鍔材が個々の鈎爪部に交叉状且つ分離独立して取り付けられ、隣接鈎爪部相互間の隙間を実質的に閉鎖状とする如してなるものとしたことを特徴とする熊手。
【請求項４】
鈎爪部が、その根元付近のみか、あるいはその根元付近から先端側付近に至る間の略等間隔となる複数箇所の夫々かに、線条を脱着自在に繋着可能とする小環状、小瘤状あるいは繋着溝状の連繋用繋着部を形成してなる、請求項１または２何れか一項記載の熊手。
【発明の詳細な説明】
【技術分野】
【０００１】
この発明は、熊手に関連するあらゆる分野をその技術分野とするものであって、熊手を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                              
【背景技術】
【０００２】
（視  点）
果樹園の落葉期における落ち葉の回収作業や、畑に用いる堆肥のための落ち葉集め等の農作業に欠くことのできない道具である熊手は、一般に、図１２の従来の熊手の斜視図、および図１３の使用状態にある従来の熊手の斜視図に示されるように、木製または竹製の棒か、あるいは軽金属製のパイプ等からなる柄５の先端に要金具部６を設け、この要金具部６に複数本の親骨１，１，……の基端側を結合し、それら親骨１，１，……の先端側を、互いの隙間が拡開するよう放射状に配置したものとし、各親骨１，１，……の先端側を、仮想放射状面に対して交叉状且つ何れか同一側に向くよう折曲し、複数の鈎爪部２，２，……を形成したものであり、これら複数本の鈎爪部２，２，……の先端を、地上面に接触させるようにして引き寄せることにより、地上に積もった枯葉を、効率的に掻き集めることができるように形成されている。
【０００３】
しかしながら、このような熊手は、図１３中に示すように、落ち葉を掻き集めている間に、各鈎爪部２，２，……の先端に広葉樹の枯葉８，８，……が突き刺さったり、針葉樹の葉や小枝等８，８，……が絡まってしまうと共に、それら枯葉や小枝類８，８，……が、各鈎爪部２，２，……から、各親骨１，１，……の基端側に向けて迫り上がってしまい、作業中に熊手が次第に重くなり、頻繁に落ち葉集めの作業を中断して、熊手に付着状となったこれらの枯葉や小枝類８，８，……を手で除去しなければならず、思うように落ち葉集めの作業効率を高めることができないという不便があった。
【０００４】
（従来の技術）
これまでに開発された熊手には、例えば実用新案登録第３０１２６０４号公報の、各爪先をカール状、リング状ないし吊リング状に形成したことにより、爪先の根や草への引っ掛かりを無くして円滑に落葉さらい、殻物の掻き寄せができるものとした「金属熊手」考案がある外、実開平１−２６９２０号公報「くま手体」考案のような、扇形状板の端部から下方に湾曲して延設されるくし状の掻寄部を具えると共に、個々の掻寄体先端部に夫々球を一体形成したことにより、ゴミや落葉が詰まることなく、滑らかに掻き集めることができるようにしたもの等があり、これら従前からの熊手は、何れも爪先を円形状あるいは球形状として、掻き集めの際の根や草への引っ掛かりや傷付けを解消するという考えに基づいたものである。                                                                                                                      
【特許文献１】（１）実用新案登録第３０１２６０４号公報    （２）実開平１−２６９２０号公報
【発明の開示】
【発明が解決しようとする課題】
【０００５】
（問題意識）
この発明は、以上のように従前までの各爪先をカール状、リング状ないし吊リング状あるいは球状に形成した熊手では、爪先の接触により、地上に露出する樹木の根や、芝生の根に突き当り、あるいは引っ掻いたりして傷付けてしまうことを防止できるが、これら爪先のカール状部分や球状部分を乗り越えて突き刺さった落葉や、爪先の根元側に絡み付いた枯葉や小枝等は、各カール部分や球部分が楔状をなすものとなってしまい、各爪先から枯葉等を取り除く際に邪魔をして反って手間が掛かってしまうものとなっていた。
【０００６】
（発明の目的）
そこで、この発明は、鈎爪部の範囲内で枯葉やゴミ類の突き刺さりや絡み付きを確実に食い止めることにより、親骨側への迫り上がりや絡み付きを確実に阻止し、作業効率を少しでも高めるようにすることはできないものかとの判断から、逸速くその開発、研究に着手し、長期に渡る試行錯誤と幾多の試作、実験とを繰り返してきた結果、今回、遂に新規な構造の熊手を実現化することに成功したものであり、以下では、図面に示すこの発明を代表する実施例と共に、その構成を詳述することとする。                                                                                                
【課題を解決するための手段】
【０００７】
（発明の構成）
図面に示すこの発明を代表する実施例からも明確に理解されるように、この発明の熊手は、基本的に次のような構成から成り立っている。
即ち、柄の先端に設けた要金具部に基端側が支持され、先端側に鈎爪部が形成されてなる親骨の複数本を、要金具部から放射状配置であって夫々の鈎爪部が仮想放射状面に対して交叉状且つ何れか同一側に向くように配した上、各鈎爪部の適所には、個々の鈎爪部の上下、左右への揺動自由度をある程度確保できるようにすると共に、隣接鈎爪部相互間の隙間を実質的に閉鎖状とする如した線条または鍔材が取り付けられてなるものとした構成を要旨とする熊手である。
【０００８】
この発明の熊手を、より具体的に示すと、柄の先端に設けた要金具部に基端側が支持され、先端側に鈎爪部が形成されてなる親骨の複数本を、要金具部から放射状配置であって夫々の鈎爪部が仮想放射状面に対して交叉状且つ何れか同一側に向くように配した上、各鈎爪部の適所には、個々の鈎爪部の上下、左右への揺動自由度をある程度確保できるようにして、線条が隣接鈎爪部相互間を緩やかに連繋し、隣接鈎爪部相互間の隙間を実質的に閉鎖状とする如してなるものとした熊手であるということができる。
【０００９】
また、この発明の熊手を別の表現で示すと、柄の先端に設けた要金具部に基端側が支持され、先端側に鈎爪部が形成されてなる親骨の複数本を、要金具部から放射状配置であって夫々の鈎爪部が仮想放射状面に対して交叉状且つ何れか同一側に向くように配した上、各鈎爪部の適所には、個々の鈎爪部の上下、左右への揺動自由度をある程度確保できるようにして、鍔材が個々の鈎爪部に交叉状且つ分離独立して取り付けられ、隣接鈎爪部相互間の隙間を実質的に閉鎖状とする如してなるものとした熊手であるということも可能である。                                                                                              
【発明の効果】
【００１０】
以上のとおり、この発明の熊手によれば、何よりも先ず、落ち葉やゴミ等を掻き集める際に、複数本の親骨の先端側に形成された各鈎爪部に、広葉樹の枯葉が突き刺さり、あるいは針葉樹の葉や草、小枝等が絡み付いた場合に、隣接する夫々の鈎爪部相互間の隙間を、実質的に閉鎖状とするよう設けられた線条または鍔材により、突き刺さった枯葉や絡み付いた草または小枝等が、親骨基端側に競り上がってくるのを確実に阻止すると共に、仮令競り上がろうとしても各親骨の鈎爪部は独立して上下、左右への揺動をある程度自由になるようにしてあってその振動で自然に抜け落ちるようにしてあるので、作業中に各親骨に多量の落ち葉やゴミ等が付着状となってしまうことを尽く防止するものとなり、したがって、従前までのもののように掻き集め作業中にその都度それら付着物を取り除くという無駄な作業を一切不要として、殻物の回収や落ち葉集め等の作業効率を格段に向上させることができ、しかも線条または鍔材が、個々の親骨鈎爪部の上下、左右への揺動自由度をある程度確保できるようにして設けてあることから、地上面の凹凸や地上に露出する樹木の根等の形状に容易に追従し、夫々が独立してその先端位置を変更可能にすることとなり、樹の根等を傷から守ると共に、各鈎爪部を石やブロック等との強い干渉から守って変形や破損を防ぐことができる上、殻物や枯葉等だけを漏れなく効率的に回収することができるという秀れた特徴が得られるものである。                                                                                                  
【発明を実施するための最良の形態】
【００１１】
上記したとおりの構成からなるこの発明の実施に際し、その最良もしくは望ましい形態について説明を加えることにする。
柄は、地上に散らかった多数の殻物や枯葉等を掻き集めようとする人が、両手に把持して先端に設けられた鈎爪部を、思い通りに操作可能とする機能を果たすものであり、作業者が比較的容易に掻き集め作業を行うことができる程度の長さおよび太さに設定されたものとしなければならず、操作し易いように比較的軽量な素材、例えば、木製棒や竹製棒、あるいは比較的軽量な金属製パイプ等から形成するのが望ましく、用途や経済性、耐久性等の観点から適宜素材、構造のものの中から最適なものを適宜選択、採用することが可能である。
【００１２】
要金具部は、複数本の親骨の基端側を、柄の先端に確りと固着して所望の熊手形状を形成可能とする機能を果たすものであり、不用意に柄と親骨とが分離してしまわないよう、両者を強固に結合可能とする構造をもち、しかも複数本の親骨を放射状配置であって夫々の鈎爪部が仮想放射状面（放射状配置とされる複数本の親骨が属することとなる面）に対して全てが何れか一方側に向くように配置、固定させたものとしなければならず、より具体的には、柄の先端に装着可能な筒状に形成され、中途適所の径方向（肉厚方向）に貫通する固着ネジ用の取付け孔を穿孔した装着用筒部と、その先端側に各親骨の基端側を熔接、固着した扇型平板状の結合部分とを形成したものとしたり、あるいは、柄の先端および複数本の親骨の基端側の夫々を、表裏側からサンドイッチ状に対をなすようにして挟み込み、ボルト・ナット等によって結合、一体化してしまう挟持金具から形成したものとすること等が可能である外、柄の先端に予め装着された筒状の接続金具と、これにワンタッチで連結、一体化可能な要金具とから形成し、それらを脱着自在に連結、可能な構造とすることもできる。
【００１３】
親骨は、それら先端側に形成された各鈎爪部を直接的に、地上に散乱している殻物や枯葉等に接触、係合状とするようにして掻き集め可能とするものであって、所定の長さに設定され、複数本の先端側が互いの間隔を拡大させて仮想放射状面に配列されたものとしなければならず、地上面の凹凸形状や地上に突出する樹木の根等に接触した際にも容易にそれら形状に沿って軸心に略直交する上下、左右方向に弾性変形、可能な構造とすべきであり、比較的高い弾性を有し、地面や砂利等への接触によっても比較的磨耗の少ない金属細棒製のものとするのが望ましいが、より軽量な竹製とすることも可能である。
【００１４】
鈎爪部は、地上面に対してその軸心を交叉状に接すると共に、その先端が地面に沿って摺動するよう移動することにより、地上に散乱する殻物や落ち葉等を隈無く掻き集めることを可能とする機能を果たし、親骨の先端側であってしかも各先端が、親骨が形成する仮想放射状面の何れか一側面に向けられた略同一寸法のものとしなければならず、その根元付近のみか、あるいはその根元付近から先端側付近に至る間の略等間隔となる複数箇所の夫々かに、線条を脱着自在に繋着可能とする小環状、小瘤状あるいは繋着溝状の連繋用繋着部を形成し、もしくは鍔材を一体に設けたものとすることができ、また、連繋用繋着部を外皮に形成した被覆材を装着したものとすることも可能である。
【００１５】
線条は、各鈎爪部に刺さり、あるいは引っ掛り、絡み着こうとする落ち葉等を、鈎爪部の中途部分から根元付近までの適所で堰止めてしまい、親骨の中途側や基端側に迫り上がってしまう現象を確実に阻止可能とする機能を果たすものであり、隣接する鈎爪部相互間を、個々の鈎爪部の上下、左右へのある程度の揺動性を確保可能とするよう緩やかに連繋し、隣接する親骨同士の間の隙間がその前後で閉鎖され（遮られ）てしまうようにしたものとしなければならず、比較的軟質な紐状素材やあるいは金属製索条等を用いたものとすることが可能であり、利用者が、必要に応じて鈎爪部の先端寄りの中途部分から根元付近までの何れか適所を選択し、連繋位置を自在に変更、可能とすることができるよう、脱着可能な紐素材とすることができ、更に、各鈎爪部に対応する中途各所の夫々に、鈎爪部への脱着金具を設けたもの等とすることもできる。
【００１６】
鍔材は、各鈎爪部に刺さり、あるいは引っ掛り、絡み着こうとする落ち葉等を、鈎爪部の中途部分から根元付近までの適所で堰止めてしまい、親骨の中途側や基端側に迫り上がってしまう現象を阻止、可能とする機能を果たすものであり、隣接する鈎爪部相互間を、個々の鈎爪部の上下、左右へのある程度の揺動性を確保可能とするよう、各鈎爪部の先端寄りの中途部分から根元付近までの何れか適所に、各鈎爪部に対して夫々交叉状に一体化され、しかも各鈎爪部に設けられたもの同士が互いに分離、独立したものとして配置され、実質的に隣接する鈎爪部相互間の隙間を閉鎖状（遮られた状態）としてしまうものとしなければならず、鈎爪部の周囲を包囲する平板状、あるいは環状の鍔型に形成することができる外、隣接する鈎爪部に向けて直交する方向に遠心された細い短尺棒状に形成されたものとすること等が可能である。
以下では、図面に示すこの発明を代表する実施例と共に、その構造について詳述することとする。                                                                                          
【実施例１】
【００１７】
図１の熊手の斜視図、図２の変形する親骨の斜視図、および図３の鈎爪部の側面図に示される事例は、柄５の先端に設けた要金具部６に基端側が支持され、先端側に鈎爪部２が形成されてなる親骨１，１，……の複数本を、要金具部６から放射状配置であって夫々の鈎爪部２，２，……が仮想放射状面に対して交叉状且つ何れか同一側に向くように配した上、各鈎爪部２，２，……の適所には、個々の鈎爪部２，２，……の上下、左右への揺動自由度をある程度確保できるようにして線条３が隣接鈎爪部２，２，……相互間を緩やかに連繋し、隣接鈎爪部２，２，……相互間の隙間を実質的に閉鎖状とする如してなるこの発明に包含される熊手における代表的な一実施例を示すものである。
【００１８】
当該熊手は、地上に散乱した殻物や枯葉等を立った姿勢で比較的容易に掻き集めることができる程度の長さ寸法と、握り易い太さ寸法とに設定された木製か竹製の棒、あるいはステンレス製もしくはアルミニウム合金製の比較的軽量に製造されたパイプからなる柄５の先端に要金具部６の筒型に形成された装着端６１を嵌合状に装着すると共に、その肉厚方向に貫通する止めネジ６２によって結合し一体化したものとなっており、同要金具部６の先端側となる端部が、扇型平板状に形成された支持板面６３を形成して、金属製細棒（例えば直径数ｍｍ程度の鋼棒）からなる複数本の親骨１，１，……の各基端側が、先端側寄りとなる程間隔を隔てた放射状となるよう配置され、熔接によって一体に結合するか、あるいは挟み板等を装着して各親骨１，１，……の各基端側を挟み込み一体化したものとし、更に、各親骨１，１，……の中途箇所には円弧型帯状をなす、一対の挟持板６４，６４を装着して中央をボルト・ナット６５によって平面状の配列を維持するよう締め付け、固定されたものとなっている。
【００１９】
各親骨１，１，……はそれらの先端側所定範囲を、同親骨１，１，……の基端側から先端側にかけて形成する仮想放射状面の交叉状且つ何れか同一側に向くよう折曲した鈎爪部２，２，……を形成し、図２中に破線および破線矢印で示すように、親骨１，１，……の軸心に対して略直交する上下、左右方向へとある程度の範囲内で自在に弾性変形可能な状態に支持されたものとなっており、しかも図３中に示すように、各鈎爪部２は、その先端から折曲された根元付近にかけて略等間隔となる数箇所の外周面に、環状の繋着溝型に形成された連繋用繋着部７，７，……が形成されたものとなっており、図１中に示すように、それらの中の最も先端寄りとなる連繋用繋着部７，７，……の隣接するもの同士を放射状配置の一方側から他方側に順次、合成樹脂製の細紐からなる線条３を用いて、図２中に示すような上下、左右への自由な動きを妨げない程度に弛みをもたせて緩やかに連繋させるよう結び付けたものとなっている。
【００２０】
連繋用繋着部７，７，……は、前述のように鈎爪部２，２，……の外周壁面に直接的に、刻設した構造とすることができる外、図４の連繋用繋着部を設けた熊手の斜視図、および図５の他の鈎爪部の斜視図に示すように、軸心方向に略等間隔となる外周面適所の夫々、環状の連繋用繋着部７，７，……を刻設した合成樹脂製の被着管７１，７１，……を、各鈎爪部２の略全長に渡って被着し、各被着管７１，７１，……の何れか適宜選択した連繋用繋着部７，７，……に線条３を繋着したものとすることが可能である。                                    
【実施例２】
【００２１】
図６の熊手の斜視図、図７の鈎爪部の斜視図および図８の変形例とよる鈎爪部の斜視図に示される事例は、柄５の先端に設けた要金具部６に基端側が支持され、先端側に鈎爪部２が形成されてなる親骨１，１，……の複数本を、要金具部６から放射状配置であって夫々の鈎爪部２，２，……が仮想放射状面に対して交叉状且つ何れか同一側に向くように配した上、各鈎爪部２，２，……の根元に相当する箇所には、夫々小環状に形成された連繋用繋着部７，７，……が形成され、個々の鈎爪部２，２，……の上下、左右への揺動自由度をある程度確保できるようにして、線条３が隣接する連繋用繋着部７，７，……相互間を緩やかに連繋し、隣接鈎爪部２，２，……相互間の隙間を実質的に閉鎖状とする如してなるこの発明に包含される熊手における他の実施例を示すものである。
【００２２】
熊手の基本的構造は、実施例１に示したものと同様なので、構造の異なる鈎爪部２，２，……の線条３による連繋構造について以下に示すこととする。
図６中の熊手は、親骨１，１，……の先端側であって、各鈎爪部２，２，……の基端付近に相当する箇所が、図７中に示すように、夫々一巻コイル状に旋回されたことにより、小環状の連繋用繋着部７，７，……を成型したものとなっており、線条３は隣接する連繋用繋着部７，７，……を緩やかに連繋するよう連続的に繋着したものとなっている。
【００２３】
また、図８中に示すように、予め別体に準備された親骨１と鈎爪部２とを、合成樹脂成型の際にインサート成型して一体化すると共に、両者間に樹脂製小環状の連繋用繋着部７を一体形成してしまうことによって形成することが可能である外、同図８中に示す樹脂製小環状の連繋用繋着部７の肉厚中に、小環状の内周側もしくは外周側の一部円弧形状に沿うよう成型された親骨１先端側が一体に内蔵され、その先端に一体形成された鈎爪部２が所定角度で延伸されたものとすることも可能である。
【００２４】
更にまた、図９中に示した熊手のように、各鈎爪部２，２，……の折曲形成された根元付近に、プレス成型あるいは熔着形成された小瘤状の連繋用繋着部７，７，……を形成し、これらを滑り止めに利用するようにして線条３を繋着したものとすることが可能である。また図示してしないが、各鈎爪部の中途部複数箇所の夫々に、線条を繋着可能とする間隔をもち、線条の鈎爪部軸心方向の滑り止めを可能とする一対の小瘤状の連繋用繋着部を形成し、熊手の利用者が何れか一対の連繋用繋着部を適宜選択し、その間に線条を繋着できるものとすることが可能である。                                                                      
【実施例３】
【００２５】
図１０の鍔材を設けた熊手の斜視図、および図１１の鈎爪部に設けた鍔材の斜視図に示す事例は、柄５の先端に設けた要金具部６に基端側が支持され、先端側に鈎爪部２が形成されてなる親骨１，１，……の複数本を、要金具部６から放射状配置であって夫々の鈎爪部２，２，……が仮想放射状面に対して交叉状且つ何れか同一側に向くように配された上、各鈎爪部２，２，……の適所には、個々の鈎爪部２，２，……の上下、左右への揺動自由度をある程度確保できるようにして、鍔材４，４，……が個々の鈎爪部２，２，……に交叉状且つ分離独立して取り付けられ、隣接鈎爪部２，２，……相互間の隙間を実質的に閉鎖状とする如してなるものとしたこの発明の熊手に包含される更に他の実施例を示すものである。
【００２６】
熊手の柄５や要金具部６およびそれに固着された複数本の親骨１，１，……等の構造は、前述した各実施例と同じなので、説明の重複を避け、構造の異なる鈎爪部２，２，……と、それらに各々分離、独立して設けられた鍔材４，４，……について以下に示すこととする。
【００２７】
放射状配置とされた各親骨１，１，……の先端に一体形成された鈎爪部２，２，……の夫々の基端部付近には、短尺細棒状の金属棒からなる鍔材４，４，……が夫々、略直交状となるよう熔接されており、隣接する鈎爪部２，２，……に夫々結合されたこれら鍔材４，４，……は、図１０中に示すように、隣接する鈎爪部２，２，……に緩衝せず、しかも互いの端部が重なり合う程度の長さ寸法に設定されており、図１１中に示すように、隣接する鍔材４，４，……同士が、鈎爪部２，２，……の根元側と先端側とに夫々の固着位置が僅かにズレている上、鈎爪部２，２，……の表裏側に交互配置とするよう取着したものとなっている。
【００２８】
（実施例の作用）
以上のとおりの構成からなるこの発明の熊手は、図１ないし図３中に示したように、各鈎爪部２，２，……間に線条３を連繋させた構造により、枯葉等８，８，……が突き刺しや絡み付くことによって親骨１，１，……に添って上昇してしまうのを確実に阻止することが可能となり、しかも線条３によって緩やかに連繋された各鈎爪部２，２，……は、図２中に示すように、ある程度変形、移動の自由度を確保できるので、地面の凹凸や樹木の根や花壇の仕切りといった複雑な形状にも自在に対応し、隙間の落ち葉やゴミを容易に掻き集めることが可能となると共に、図３中に示したように、各鈎爪部２，２，……の中途適所に予め、繋着溝状の連繋用繋着部７，７，……を複数形成しておくことにより、枯葉の量や深さに応じて利用者が、掻き集め易い鈎爪部２，２，……の長さ位置に線条３を、適宜繋着することが可能となる上、長年に渡る利用により鈎爪部２，２，……が磨耗して短くなってしまった場合にも、線条３の繋着位置を適宜変更して鈎爪部２，２，……の有効長さを自在に調節することが可能であり、更に、図４および図５に示したように、軸方向に略等間隔となる外周面の複数、適所に環状の連繋用繋着部７，７，……が刻設された合成樹脂製の被着管７１，７１，……を、各鈎爪部２，２，……に嵌合、被着したことにより、繋着溝部分の直径を拡大して線条３の繋着作業を容易且つ確実なものにすると共に、鈎爪部２，２，……自体の繋着溝を無くして応力の集中を防ぎ、強度を高めることができる。
【００２９】
また、図６ないし図９に示した熊手によれば、小環状あるいは小瘤状に形成された連繋用繋着部７，７，……により、線条３をより確実に繋着することが可能となる。
図１０および図１１に示した熊手のように、各鈎爪部２，２，……の夫々に、鍔材４，４，……を互いに分離、独立した状態に設けたことにより、各鈎爪部２，２，……の変形、移動の自由度を更に高めることができる上、鈎爪部２，２，……に突き刺さり、絡み付いてくる枯葉やゴミ類を、より強固に塞き止めて親骨１，１，……の基端側への上昇、付着を確実に防止するものとなる。
【００３０】
（実施例の効果）
以上のような構成からなる実施例１の熊手は、前記この発明の効果の項で記載の特徴に加え、各鈎爪部２，２，……に対し、図３中に示したような、繋着溝状の連繋用繋着部７，７，……を複数、形成したことにより、利用者自身の判断によって線条３の繋着位置を自在に変更、調節することが可能なので、枯葉やゴミの大きさや堆積深さ、あるいは利用者毎の力量差等に応じて、各鈎爪部２，２，……の長さを適宜、調節することができると共に、長年の使用によって個々の鈎爪部２，２，……が磨耗して、短くなっていく段階の都度に、鈎爪部２，２，……の先端側から根元付近に適宜間隔を隔てて配置された連繋用繋着部７，７，……を、次第に根元側寄りの箇所を選択するようにして線条３を繋着することにより、長年に渡って略同等の秀れた使用感を維持することができ、更に、図４および図５中に示したように、各鈎爪部２，２，……に被着管７１，７１，……を装着したことにより、各鈎爪部２，２，……自体を外側から補強することができる上、繋着溝部分の直径を拡大して線条３の磨耗を軽減し、熊手自体の耐久強度を格段に向上できるという利点を得られることになる。
【００３１】
また、実施例２の熊手によれば、各鈎爪部２，２，……の根元付近に、図６ないし図９中に示したとおり、小環状あるいは小瘤状の連繋用繋着部７，７，……を形成し、それらを線条３によって緩やかに連繋することにより、各連繋用繋着部７，７，……自体が、鈎爪部２，２，……に突き刺さった枯葉や絡み付いた小枝の親骨１，１，……側への迫り上がりを阻止するものとなり、しかも線条３を確実に繋着して同線条３のズレ動きを防止できるものとなる。
【００３２】
実施例３の熊手によれば、各鈎爪部２，２，……の根元付近に、図１０および図１１中に示したように、互いの端部同士を干渉させず、重なり状とするよう、巧みに分離、独立状に配置された鍔材４，４，……により、各々の鈎爪部２，２，……の上下、左右移動の自由度を一段と高めることができ、しかも各鈎爪部２，２，……に対して短尺細棒状の金属製鍔材４，４，……を交叉状に一体化したことにより、外の形状の鍔材を設けた場合に比較して熊手自体を軽量化することができるので、熊手自体の耐久性を高めることができると共に、より軽快な操作性を確保できるものとなる。
【００３３】
（結  び）
叙述の如く、この発明の熊手は、その新規な構成によって所期の目的を遍く達成可能とするものであり、しかも製造も容易で経済的なものとして市場に提供できる上、熊手の機能では従前からのものに比較して遥かに秀れているだけではなく、耐久性の点においても永年の使用に十分に耐え得るものとなっていることから、果樹の落葉を回収する果樹農家や、雑木林等から堆肥用の落葉を集める畑作農家等からは勿論のこと、農業用品や園芸用具等を製造、販売する各種業界等からも高い評価が得られ、広範に渡って普及、利用されること予想される。                                                                                  
【図面の簡単な説明】
【００３４】
図面は、この発明の熊手の技術的思想を具現化した代表的な幾つかの実施例を示すものである。
【図１】この発明の熊手の構造を示す斜視図である。
【図２】鈎爪部の自在な移動を示す斜視図である。
【図３】鈎爪部の形状を示す側面図である。
【図４】この発明に包含される熊手の構造を示す斜視図である。
【図５】鈎爪部の変形例を示す斜視図である。
【図６】鈎爪部根元付近に小環を形成した熊手を示す斜視図である。
【図７】小環状に形成した鈎爪部根元付近を示す斜視図である。
【図８】小環状に形成した鈎爪部根元付近の変形例を示す斜視図である。
【図９】小瘤状に形成した鈎爪部根元付近を示す斜視図である。
【図１０】鍔材を設けた鈎爪部を示す斜視図である。
【図１１】鍔材の配置構造を示す斜視図である。
【図１２】従来の熊手を示す斜視図である。
【図１３】従来の熊手を使用する状態を示す斜視図である。
【符号の説明】
【００３５】
１      親骨
２      鈎爪部
３      線条
４      鍔材
５      柄
６      要金具部
６１    同  装着端
６２    同  止めネジ
６３    同  支持板面
６４    同  挟持板
６５    同  ボルト・ナット
７      連繋用繋着部
７１    同  被着管
８      枯葉（小枝等）
【図１】
2005143322.tif 000003
【図２】
2005143322.tif 000004
【図３】
2005143322.tif 000005
【図４】
2005143322.tif 000006
【図５】
2005143322.tif 000007
【図６】
2005143322.tif 000008
【図７】
2005143322.tif 000009
【図８】
2005143322.tif 000010
【図９】
2005143322.tif 000011
【図１０】
2005143322.tif 000012
【図１１】
2005143322.tif 000013
【図１２】
2005143322.tif 000014
【図１３】
2005143322.tif 000015